(57)【要約】【課題】ＶＡ液晶ディスプレイを有する液晶表示装置において、動画ボケを抑制できる。【解決手段】画像処理回路は、倍速変換部と、高階調変換部と、低階調変換部と、画像データを切替える画像データ切替部とを有する。画像データ切替部は、倍速変換前の１フレームの前半期間に低階調データを出力し、後半期間に高階調データを出力し、画像データの階調を低から高に変化させる。図３に示すように、時間Ｔ１において、現フレームＦ２の階調Ｄ２が、前フレームＦ１の階調Ｄ１よりも高くなることにより、前フレームＦ１の後半期間の階調Ｌ２から、現フレームＦ２の前半期間の階調Ｌ３に緩やかに変化する（Ｐ１）。このように、暗・明の順に階調を変化させると、現フレームの階調が前フレームの階調よりも高いときであっても、階調が緩やかに変化するので、ＶＡ液晶ディスプレイに表示した場合であっても、階調の変化が遅いことによる動画ボケを防ぐことができる。【選択図】図３
2009162945.tif 000002
【特許請求の範囲】
【請求項１】
画像を表示する液晶表示手段と、
倍速変換前の１フレームの画像データから、その画像データの示す階調よりも高い階調と低い階調をそれぞれ示す２つの連続した高階調データ及び低階調データを生成し、高階調データと低階調データの平均階調により現フレームの階調を表すと共に、フレームレートを２倍に変換する、いわゆる明暗方式の倍速変換を行う制御手段とを備える液晶表示装置において、
前記液晶表示手段は、ＶＡ液晶ディスプレイであり、
前記制御手段は、前記液晶表示手段に対して、前記低階調データ・前記高階調データの順に繰り返し画像データを出力することを特徴とする液晶表示装置。
【発明の詳細な説明】
【技術分野】
【０００１】
本発明は、ＶＡ液晶ディスプレイを有する液晶表示装置に関する。
【背景技術】
【０００２】
近年、液晶ディスプレイ等のホールド型表示装置の需要が増加している。この種の表示装置は、ＣＲＴのような瞬間的なインパルス型発光ではなく、画像データに基く階調を次の画像データの表示まで保持するものである。そのため、動画像（以下、動画）を表示するとき、網膜に残像を感じ、動画がぼやける、所謂、動画ボケが発生するという問題がある。
【０００３】
上記問題に対して、倍速変換前の１フレームの画像データから、２つの連続した高階調データ及び低階調データを生成し、フレームレートを２倍に変換して、生成した高階調データ及び低階調データを順に表示する液晶表示装置が知られている（例えば、特許文献１乃至特許文献３参照）。これらの液晶表示装置は、表示する１フレームごとに明暗を繰り返すことにより動画ボケを防ぐものである。
【０００４】
上記液晶表示装置において、倍速変換前の１フレームの前半期間を高階調とし、後半期間を低階調とした場合において表示される画像データの階調変化の一例を示すグラフを図４に示す。縦軸は階調Ｌを示し、横軸は時間Ｔを示す。一点鎖線Ｄ１１、Ｄ１２、Ｄ１３は、それぞれ倍速変換前の１フレームの階調を示す。高階調データと低階調データの平均階調は、倍速変換前の１フレームの画像データの示す階調に一致するものとする。
【０００５】
図４に示すように、時間Ｔ１０１において、フレームＦ１１が、現在のフレーム（以下、現フレーム）Ｆ１２に切り替わるとき、階調がＬ１からＬ４に大きく変化する（図４のＰ１１）。
【０００６】
これは、現フレームの階調（ここではフレームＦ１２の階調Ｄ１２）が、１つ前のフレーム（以下、前フレーム）の階調（ここではフレームＦ１１の階調Ｄ１１）よりも高いときに、前フレームの後半期間にあたる低階調データの階調（ここでは階調Ｌ１）から、現フレームの前半期間にあたる高階調データの階調（ここでは階調Ｌ４）に変化することにより生じるものである。
【０００７】
一方、時間１０２において、前フレームＦ１３の階調Ｄ１２よりも低い、現フレームＦ１４の階調Ｄ１３に切り替るときは、階調がＬ３からＬ２に緩やかに変化する（図４のＰ１２）。
【０００８】
これは、前フレーム（ここではフレームＦ１３）の後半期間にあたる低階調データの階調（ここでは階調Ｌ３）から、現フレーム（ここではフレームＦ１４）の前半期間にあたる高階調データの階調（ここでは階調Ｌ２）に変化することにより生じるものである。
【０００９】
ところで、近年、液晶分子を基盤表面に対し垂直に配列させるＶＡ(Vertical Alignment)液晶ディスプレイが普及している。ＶＡ液晶は、表示する画像データの階調が低階調から高階調に変化する方が、高階調から低階調に変化するよりも時間がかかるといった、非対称性の応答特性を有している。
【００１０】
上記図４に示したように、１フレームの前半期間を高階調とし、後半期間を低階調とする画像データをＶＡ液晶に表示した場合、低階調から高階調に大きく変化することがあるので、ＶＡ液晶の応答特性上、階調の変化に時間がかかり、動画ボケを十分抑制できないという問題がある。
【特許文献１】特開２００５−２３４５５２号公報
【特許文献２】特開２００４−２４０３１７号公報
【特許文献３】特開２００６−３４３７０７号公報
【発明の開示】
【発明が解決しようとする課題】
【００１１】
本発明は、上述した問題点を解決するためになされたものであり、動画ボケを抑制可能であるＶＡ液晶ディスプレイを有する液晶表示装置を提供することを目的とする。
【課題を解決するための手段】
【００１２】
上記目的を達成するために請求項１の発明は、画像を表示する液晶表示手段と、倍速変換前の１フレームの画像データから、その画像データの示す階調よりも高い階調と低い階調をそれぞれ示す２つの連続した高階調データ及び低階調データを生成し、高階調データと低階調データの平均階調により現フレームの階調を表すと共に、フレームレートを２倍に変換する、いわゆる明暗方式の倍速変換を行う制御手段とを備える液晶表示装置において、前記液晶表示手段は、ＶＡ液晶ディスプレイであり、前記制御手段は、前記液晶表示手段に対して、前記低階調データ・前記高階調データの順に繰り返し画像データを出力するものである。
【発明の効果】
【００１３】
本発明によれば、制御手段は、ＶＡ液晶ディスプレイである液晶表示手段に対して、低階調データ・高階調データの順に繰り返し画像データを出力するので、高階調データ・低階調データの順に繰り返し画像データを出力する場合と異なり、階調が低階調から高階調に大きく変化することを防ぐことができるので、従来のものと比較して、特別な回路や演算処理を行うことなしに、動画ボケを抑制することができる。
【発明を実施するための最良の形態】
【００１４】
本発明の一実施形態に係る液晶表示装置について、図面を参照しつつ説明する。本実施形態に係る液晶表示装置の一例として、液晶ディスプレイパネルを用いたテレビジョン（ＴＶ）受像機１の概略構成を図１に示す。
【００１５】
ＴＶ受像機１は、ＶＡ液晶ディスプレイパネル（ＶＡ液晶ディスプレイ）１１と、ＶＡ液晶ディスプレイパネル１１を駆動する駆動部１２と、音声を出力可能なスピーカ１３と、ＴＶ受像機１の各部の動作を制御する制御部１４と、外部のアンテナに接続され、このアンテナにより受信されるＴＶ放送の所望の番組を選局するチューナ１５と、ＴＶ受像機１の筐体外部に露出するように設けられた端子部１６と、装置本体とは別体となるリモコン装置９から送信された操作信号を受信する受信部１７等で構成されている。ＴＶ受像機１は、制御部１４による制御に基づき、例えばチューナ１５により選局されたＴＶ放送番組や、端子部１６に接続された外部の入力機器から入力される画像・音声等を、ＶＡ液晶ディスプレイパネル１１やスピーカ１３を介して視聴可能にすることができるように構成されている。端子部１６は、例えばＤＶＤレコーダ２等の外部機器に、ＨＤＭＩ（High-Definition Multimedia Interface）ケーブル等を介して接続される。
【００１６】
ＶＡ液晶ディスプレイパネル１１は、低階調レベルから高階調レベルに変化する方が、高階調レベルから低階調レベルに変化するよりも時間がかかるといった、非対称性の応答特性を有している。
【００１７】
制御部１４は、ＣＰＵ、ＲＯＭ、ＲＡＭ、その他の電子部品で構成された画像処理回路１８や、音声処理回路１９等を備え、チューナ１５により選局された番組の映像信号や、例えば端子部１６に接続されたＤＶＤレコーダ２から入力された映像信号等に基づいて、駆動部１２を制御し、ＶＡ液晶ディスプレイパネル１１に画像を表示させる。
【００１８】
次に、画像処理回路１８の構成について、図２のブロック図を参照して説明する。画像処理回路１８は、画像データのフレームレートを倍速変換する倍速変換部１８１と、倍速変換前の画像データの示す階調よりも高い階調を示す画像データ（以下、高階調データという）に変換する高階調変換部１８２と、倍速変換前の画像データの示す階調よりも低い階調を示す画像データ（以下、低階調データという）に変換する低階調変換部１８３と、出力する画像データを切替える画像データ切替部１８４とを有する。
【００１９】
高階調変換部１８２、及び低階調変換部１８３は、高階調データと低階調データの平均階調が、倍速変換前の１フレームの画像データの示す階調に一致するように変換を行う。
【００２０】
画像データ切替部１８４は、倍速変換前の１フレームの前半期間に低階調データを割当てて出力し、後半期間に高階調データを割当てて出力するように動作し、画像データの階調を低から高に変化させる。１フレームの前半期間と後半期間とは期間の長さが等しく、画像データは連続して出力される。
【００２１】
次に、画像処理回路１８によって出力された画像データの階調変化について、図３のグラフを参照して説明する。図３の縦軸は、階調Ｌを示し、横軸は、時間Ｔを示す。一点鎖線Ｄ１、Ｄ２、Ｄ３は、それぞれ倍速変換前の１フレームの階調を示す。ここでは、上述したように、倍速変換前の１フレームの前半期間に低階調データが出力され、後半期間に高階調データが出力される。
【００２２】
図３に示すように、時間Ｔ１まで、低階調データの階調がＬ１であり、高階調データの階調がＬ２である画像データが出力されている。そして、時間Ｔ１において、現在のフレーム（以下、現フレーム）Ｆ２の階調Ｄ２が、１つ前のフレーム（以下、前フレーム）Ｆ１の階調Ｄ１よりも高くなることにより、前フレームＦ１の後半期間の階調Ｌ２から、現フレームＦ２の前半期間の階調Ｌ３に緩やかに変化する（図３のＰ１）。
【００２３】
このように、従来のように明・暗の順に階調を変化させる場合と異なり、暗・明の順に階調を変化させると、現フレームの階調が前フレームの階調よりも高いときであっても、階調が緩やかに変化する。そのため、この画像データをＶＡ液晶ディスプレイ１１に表示した場合であっても、特別な回路や演算処理を行うことなしに、階調の変化が遅いことによる動画ボケを防ぐことができる。
【００２４】
次に、高階調から低階調に変化するときの変化について、上記図３を参照して説明する。図３に示すように、時間Ｔ２において、前フレームＦ３の階調Ｄ２よりも、現フレームＦ４の階調Ｄ３の方が低くなる。このとき、前フレームＦ３の後半期間の階調Ｌ４から、現フレームＦ４の前半期間の階調Ｌ１に大きく変化する。
【００２５】
このように、明・暗の順に階調を変化させる場合と異なり、暗・明の順に階調を変化させると、現フレームの階調が前フレームの階調よりも低いとき、階調が大きく変化する。しかし、この画像データをＶＡ液晶ディスプレイ１１に表示した場合、ＶＡ液晶は、高階調から低階調に変化するスピードが早いため、動画ボケを抑制することができる。
【００２６】
なお、本発明は、上記実施形態の構成に限られず、発明の趣旨を変更しない範囲で種々の変形が可能である。
【図面の簡単な説明】
【００２７】
【図１】本発明の一実施形態に係る液晶表示装置の一例として、ＶＡ液晶ディスプレイパネルを用いたＴＶ受像機の概略構成を示すブロック図。
【図２】上記ＴＶ受像機の画像処理部のブロック構成図。
【図３】上記ＴＶ受像機における階調の変化を示すグラフ。
【図４】従来の明から暗に階調を変化させるＶＡ液晶ディスプレイパネルを用いたＴＶ受像機の階調の変化を示すグラフ。
【符号の説明】
【００２８】
１  テレビジョン（ＴＶ）受像機
１１  ＶＡ液晶ディスプレイパネル（液晶表示手段、ＶＡ液晶ディスプレイ）
１８  画像処理回路
１８１  倍速変換部
Ｄ１−Ｄ３  （倍速変換前の）画像データ
【図１】
2009162945.tif 000003
【図２】
2009162945.tif 000004
【図３】
2009162945.tif 000005
【図４】
2009162945.tif 000006